(57)【要約】電話番号の発生方法を提案する。電話番号を表すシンボルのアクティブ化を許可し、その際にシンボルはハイパーリンクまたは電話番号のテキスト入力に相応する。
2004505510.tif 000002
【特許請求の範囲】
【請求項１】
データ処理装置（３２）に配属されたディスプレイ装置に電話番号を表すシンボルを表示し、この電話番号をアクティブ化する
データ処理装置（３２）上で動作するデータ処理アプリケーション（１００）での電話番号の発生方法において、
シンボルを設定するステップと、
シンボルをアクティブ化するステップとを有しており、
シンボルの設定がハイパーリンクの配置に相応し、シンボルのアクティブ化がハイパーリンクのアクティブ化に相応するか、または
シンボルの設定がテキストとしての電話番号の入力に相応し、シンボルのアクティブ化は電話番号を表すテキストのダイアルとこれに続く電話番号発生の作動に相応する
ことを特徴とするデータ処理アプリケーションでの電話番号の発生方法。
【請求項２】
ハイパーリンクは標準ハイパーリンクである、請求項１記載の方法。
【請求項３】
ハイパーリンクは電話番号を発生する識別子を有する、請求項１または２記載の方法。
【請求項４】
識別子は用語“ｐｈｏｎｅ”を有する、請求項３記載の方法。
【請求項５】
ハイパーリンクのアクティブ化は少なくとも１度入力装置の入力キーを押すことによる選択に相応する、請求項１から４までのいずれか１項記載の方法。
【請求項６】
入力装置はマウスであり、入力キーはマウスキーである、請求項５記載の方法。
【請求項７】
電話番号を発生するためのシンボルのアクティブ化は固有情報の入力に相応する、請求項１記載の方法。
【請求項８】
固有情報はファンクションキーの操作に相応する、請求項７記載の方法。
【請求項９】
データ処理アプリケーション（１００）はデータ処理装置（３２）によって利用される標準プログラムである、請求項１から８までのいずれか１項記載の方法。
【発明の詳細な説明】
【０００１】
従来の技術
本発明は請求項１の上位概念記載の電話番号の発生方法に関する。
【０００２】
一般に、データ処理装置上で動作し、電話番号を発生することのできるアプリケーションが既に公知である。これはデータ処理装置のユーザが例えばマウスを用いて画面にマスクされて存在しているプログラミングキーを作動させることにより行われる。
【０００３】
本発明の利点
本発明の請求項１の特徴を有する方法は、従来の技術に対して、電話番号発生のアクティブ化を可能にするシンボルをきわめて簡単に形成または設定できるという利点を有する。したがってデータ処理装置に不慣れなユーザであってもシンボルまたは一般的な表示を形成することができ、電話番号発生のアクティブ化が行われる。しかも熟達したコンピュータユーザ（プログラマ）がこのようなシンボルの形成に時間を割くことにはならない。
【０００４】
また有利には、ハイパーリンクは標準ハイパーリンクである。これにより本発明の方法は簡単化される。なぜなら例えば標準のデータ処理装置のアプリケーションに設けられている機能を標準ハイパーリンクの形成に利用することができるからである。
【０００５】
さらに有利には、ハイパーリンクは電話番号を発生するための識別子を有する。これによりデータ処理装置のユーザでは一般のハイパーリンクで直ちに、電話番号発生のために専用に形成されるハイパーリンク（ｐｈｏｎｅ‐ハイパーリンク）であることが識別される。
【０００６】
さらに有利には、識別子は用語“ｐｈｏｎｅ”を有する。これにより識別子がハイパーリンクのアクティブ化、ひいては電話番号の発生をトリガする機能をリファレンスするものとされる。
【０００７】
さらに有利には、ハイパーリンクのアクティブ化は少なくとも１度入力装置の入力キーを押すことによる選択に相応する。これによりハイパーリンクを迅速かつ簡単にアクティブ化可能である。
【０００８】
さらに有利には、入力装置はマウスであり、入力キーはマウスキーである。これによりデータ処理装置の簡単な操作で電話番号を発生することができる。なぜならユーザは一般にデータ処理装置の大部分を入力装置としてのマウスを操作することにより操作しているからである。
【０００９】
さらに有利には、電話番号を発生するためのシンボルのアクティブ化は専用情報の入力に相応する。これによりシンボルのアクティブ化は、例えばシンボルの設定がテキストとしての電話番号の入力によって行われる場合、特に迅速かつ簡単に形成される。なぜなら入力エラーまたはミスインタプリテーションが固有情報によりほぼ完全に排除されるからである。
【００１０】
さらに有利には、固有情報はファンクションキーの操作に相応する。これにより特に簡単な操作が達成される。
【００１１】
さらに有利には、データ処理アプリケーションはデータ処理装置によって利用される標準プログラムである。これにより本発明の方法を広汎に使用することができ、互換性の問題も小さくなる。
【００１２】
図面
本発明の実施例を図示し、以下に詳細に説明する。図１には電話機とデータ処理装置とを集積するコンフィグレーションの第１の実施例が示されている。図２には電話機とデータ処理装置とを集積するコンフィグレーションの第２の実施例が示されている。図３には本発明の方法の変換の実施例の概略的なフローチャートが示されている。
【００１３】
実施例の説明
図１にはデータ処理装置と電話機とを共働させるコンフィグレーションの第１の実施例が示されている。電話機２２は電話回線２０を介してローカル交換機１５に接続されている。ローカル交換機１５は外部の電話網、例えば公衆電話回線網１０に接続されている。さらにデータ処理装置３２はデータネットワーク３０に接続されている。データ処理装置３２は図示されていないディスプレイ装置と入力手段とを有しており、例えば入力手段はマウス、キーボードその他である。データネットワーク３０は内部ネットワーク、例えばローカルエリアネットワークＬＡＮである。データネットワーク３０は本発明によれば例えば図示されていないコンポーネントを介して図示されていない別のネットワーク、例えばインターネットへ接続されている。データ処理装置３２上で電話アプリケーションを動作させるためには、データ処理装置３２と電話機２２またはローカル交換機１５とが通信しなければならない。この第１のコンフィグレーションの実施例では、電話機２２ともデータ処理装置３２とも接続されている中間コンポーネント２５が設けられている。本発明によれば、この中間コンポーネント２５は例えばインタフェースマッチング部である。第１のコンフィグレーションの実施例はコンピュータ電話インテグレーションＣＴＩ（Ｃｏｍｐｕｔｅｒ Ｔｅｌｅｐｈｏｎｉｅ Ｉｎｔｅｇｒａｔｉｏｎ）のインプリメンテーションのいわゆるファーストパーティアーキテクチャに相応している。また電話機２２およびデータ処理装置３２がそれぞれ複数のコンポーネントから成っていることは明らかである。
【００１４】
図２にはデータ処理装置と電話機とを共働させるコンフィグレーションの第１２の実施例が示されている。これは主としてＣＴＩ（Ｃｏｍｐｕｔｅｒ Ｔｅｌｅｐｈｏｎｉｅ Ｉｎｔｅｇｒａｔｉｏｎ）インプリメンテーションのいわゆるサードパーティアーキテクチャに相応している。電話機２２は前述の場合と同様に電話回線２０を介してローカル交換機１５に接続されており、ローカル交換機１５は外部の電話網、例えば公衆電話回線網１０に接続されている。さらにデータ処理装置３２も同様にデータネットワーク３０に接続されている。この場合のファーストパーティアーキテクチャとの相違点は電話機２２とデータ処理装置３２とが直接には結合されておらず、電話回線２０、ローカル交換機１５、およびデータネットワーク３０を介して結合されていることである。このためにデータネットワーク３０およびローカル交換機１５にはいわゆるＣＴＩサーバが設けられている。ＣＴＩサーバ１６はローカル交換機１５およびデータネットワーク３０に接続されている。データ処理装置３２上で動作する電話アプリケーションにより電話機２２へ送信すべき制御データおよび有効データは、このときデータネットワーク３０、ＣＴＩサーバ１６、ローカル交換機１５および電話回線２０を介して電話機２２へ伝達される。そこで受信された制御データおよび有効データが変換され、データ処理アプリケーションのユーザがデータ処理装置３２上で行われる動作（すなわち加入者の選択、リダイアル、記憶、および電話帳の電話番号その他）を電話機２２で行っているかのようになる。
【００１５】
図３には本発明の方法の変換の実施例の概略的なフローチャートが示されている。データ処理アプリケーション１００には例えばテキストドキュメントまたはインターネットドキュメント（ＨＴＭＬフォーマット）でハイパーリンクを設定または形成する手段が設けられている。これは標準データ処理アプリケーションでは例えばテキスト処理プログラムにおいて、“ハイパーリンク挿入”の機能が使用可能となり、ユーザが形成したドキュメントに１つまたは複数のハイパーリンクが含まれる場合、ユーザがこれをつねに呼び出すことができるようになっている。このようなハイパーリンクを含むドキュメントをビューする際には、ハイパーリンクは一般に色つきや下線その他でマークされる。したがってユーザはドキュメントの作成者とは必ずしも一致しないけれども、ハイパーリンクを問題なく認識することができる。本発明によれば、このようなハイパーリンクは少なくとも１度入力装置の入力キーを押すことによりアクティブ化される。本発明ではこれはデータ処理装置３２が入力装置としてマウスを有し、このデータ処理装置３２のユーザがディスプレイ装置に表示されるマウスポインタをハイパーリンクのマークに合わせ、マウスキーをクリックすることによって行われる。
【００１６】
本発明によれば、ハイパーリンクは識別子を有しており、この識別子によりデータ処理アプリケーション１００に対してハイパーリンクがアクティブ化されており電話番号を発生させるべきであることがシグナリングされる。ハイパーリンクをアクティブ化したことに応じてデータ処理アプリケーション１００は情報を電話アプリケーション２００へ伝送する。電話アプリケーション２００はデータ処理アプリケーション１００から得た情報を処理し、電話番号を発生せよとの命令をいわゆる電話アプリケーションプログラミングインタフェースＴＡＰＩ（Ｔｅｌｅｐｈｏｎｅ Ａｐｐｌｉｃａｔｉｏｎ Ｐｒｏｇｒａｍｍｉｎｇ Ｉｎｔｅｒｆａｃｅ）３００へ送る。アプリケーションは電話機２２またはローカル交換機１５により呼び出し番号の発生が行われるまでさらに命令を処理する。
【００１７】
有利な実施例では、電話アプリケーション２００がデータ処理アプリケーション１００からハイパーリンクのアクティブ化の結果として形成された全情報を監視するように構成することができる。この場合これは電話番号を発生するために設けられたハイパーリンクであっても他の目的、例えばインターネットサイトの呼び出しのために設けられているハイパーリンクであってもよい。第２の実施例では、電話番号発生のためのハイパーリンクが設けられていることを示すハイパーリンクの識別子はデータ処理アプリケーション１００では識別されず、電話アプリケーション２００で識別される。第１の実施例と同様に、電話アプリケーション２００は電話番号を発生せよとの命令をＴＡＰＩ３００へ送る。
【００１８】
シンボルがハイパーリンクでなく、単に電話番号を有する入力されたテキストである場合、相応のテキストブロックがデータ処理アプリケーション１００で主としてダイアルされ、所定の機能の作動、例えばファンクションキーの操作により、電話番号に関する情報が電話アプリケーション２００へ渡され、さらに電話番号を発生せよとの命令がＴＡＰＩ３００へ転送される。電話アプリケーション２００は例えばＣＴＩソフトウェアであり、ハイパーリンクまたはテキストを介して伝送される電話番号の“ストリング”からダイアル可能な番号を形成する。電話番号を表すシンボルの形成は、本発明により、次のような場合に特に有効である。すなわち、Ｅメールメッセージに署名とともに電話番号を挿入するとき、手紙のリード行に電話番号を挿入するとき、インターネットドキュメント（ＨＴＭＬデータ）に電話番号を挿入するとき、または電話帳アプリケーションに電話番号を挿入するときなどである。
【図面の簡単な説明】
【図１】
電話機とデータ処理装置とを集積するコンフィグレーションの第１の実施例を示す図である。
【図２】
電話機とデータ処理装置とを集積するコンフィグレーションの第２の実施例を示す図である。
【図３】
本発明の方法の変換の実施例のフローチャートである。
【国際公開パンフレット】
2004505510.tif 000003
2004505510.tif 000004
2004505510.tif 000005
2004505510.tif 000006
2004505510.tif 000007
2004505510.tif 000008
2004505510.tif 000009
2004505510.tif 000010
2004505510.tif 000011
2004505510.tif 000012
2004505510.tif 000013
【国際調査報告】
2004505510.tif 000014
2004505510.tif 000015
2004505510.tif 000016
2004505510.tif 000017
2004505510.tif 000018
2004505510.tif 000019